(57)【特許請求の範囲】
【請求項１】
先端部に施錠子を有し外周には前進して施錠子を求心方向に押さえ後退して施錠子を解放するロック用操作スリーブを設けたソケットと、先端部に前記施錠子が係合する係合溝を形成したプラグとからなり、前記ソケットとプラグにはそれぞれ前進して流体通路を閉じ後退して開く弁体を内蔵した管継手であって、
前記ソケットにあっては、先端側に前記プラグ挿入孔とこれに連通した弁体摺動孔を有するソケット本体基部と、該ソケット本体基部の後端に連設されているソケット本体筒部とを備え、
流体通路は一端を前記弁体摺動孔内壁に開口し他端を弁体摺動孔外の他壁に開口する連通孔と弁体摺動孔における前記連通孔の内壁に開口する開口部より前側の部分とで形成され、
この流体通路を開閉するソケット側弁体は、先端部外周が前記プラグの先端開口部に摺動自在に嵌合し、且つその先端部がプラグ側弁体の先端部に当接可能なプラグ嵌合部を有する筒状体からなり、前記弁体摺動孔に摺動自在に嵌合し、前進して前記弁体摺動孔に開口する連通孔の開口部を閉じ後退して開くようになっていて、スプリングにより常に前進方向に付勢されており、
そして、前記筒状体からなるソケット側弁体の内部には、その後端が前記ソケット本体筒部に固定され、前記ソケットとプラグの接続時にプラグ側弁体に当接して後退させる弁押杆がソケット側弁体と液密的に且つソケット側弁体が摺動可能に挿通され、
更に、前記ソケット本体筒体と前記操作スリーブとには、軸方向にあけられたガイド孔とガイド孔の後端側から周方向にあけられたロック孔とからなるガイド兼ロック孔が連通して各々形成され、そして前記ソケット側弁体の後端部には前記ガイド兼ロック孔を貫通して弁摺動部材が設けられ、この弁摺動部材をガイド孔に従って後端側へ移動させることにより前記ソケット側弁体が後退し前記弁体摺動孔に開口する開口部を開き、ガイド孔の後端側に移動させた弁摺動部材を更にロック孔に従って移動させることによりソケット側弁体を後退位置に保持するとともに前記操作スリーブの後退を阻止するようになっていることを特徴とする管継手。
【発明の詳細な説明】
【０００１】
【発明の属する技術分野】
本発明は、先端部に施錠子を有し外周には前進して施錠子を求心方向に押さえ後退して施錠子を解放するロック用操作スリーブを設けたソケットと、先端部に前記施錠子が係合する係合溝を形成したプラグとからなり、前記ソケットとプラグにはそれぞれ前進して流体通路を閉じ後退して開く弁体を内蔵した管継手に関する。
【０００２】
【従来の技術】
図１１は、従来のこの種の管継手の縦断面図を示したものである。この管継手は、ソケット５０とプラグ５１とからなり、ソケット５０にあってはその先端部に求遠心方向に出没自在なロックボール５２を有し、外周には前進してロックボール５２を求心方向に押さえ後退して解放するロック用操作スリーブ５３を設け、また、内部に形成された流体通路５４には、前進して弁座５５に当接し流体通路５４を閉じ後退して開く弁体５６が内蔵されている。またプラグ５１にあってはその先端部外周に前記ロックボール５２が係合する係合溝５７が形成され、また内部に形成された流体通路５８には、前進して弁座５９に当接し流体通路５８を閉じ後退して開く弁体６０が内蔵されている。そして、前記ソケット５０とプラグ５１の弁体５６，６０はそれぞれスプリング６１，６２で常に前進方向に付勢され、非接続時にはそれぞれの流体通路５４，５８を閉じた状態にあり、ソケット５０とプラグ５１の接続時にそれぞれの弁体５６，６０が互いに押し合い後退してそれぞれの流体通路５４，５８を開くようになっている。
【０００３】
【発明が解決しようとする課題】
上記の従来の管継手によれば、ソケット５０とプラグ５１とが接続状態にあるとき、不用意な操作スリーブ５３の操作でソケット５０とプラグ５１とが分離してしまうといったおそれがあり、使い方に注意しなければならない。また、図示のように、接続状態で突き合わせ状態にあるソケット５０の弁体５６及びプラグ５１の弁体６０とソケット５０の弁座５５及びプラグ５１の弁座５９との間に隙間Ｓが存在し、ソケット５０とプラグ５１の分離時に、この隙間Ｓにある流体はそれぞれの流体通路５４，５８内に戻らず外部に漏れるといった問題がある。
【０００４】
本発明の目的は、不用意なソケットとプラグの分離を防止するとともに、ソケットとプラグの分離時における流体の漏れを防止できる管継手を提供することにある。
【０００５】
【課題を解決するための手段】
本発明は、上記の課題を達成するために、先端部に施錠子を有し外周には前進して施錠子を求心方向に押さえ後退して施錠子を解放するロック用操作スリーブを設けたソケットと、先端部に前記施錠子が係合する係合溝を形成したプラグとからなり、前記ソケットとプラグにはそれぞれ前進して流体通路を閉じ後退して開く弁体を内蔵した管継手であって、
前記ソケットにあっては、先端側に前記プラグ挿入孔とこれに連通した弁体摺動孔を有するソケット本体基部と、該ソケット本体基部の後端に連設されているソケット本体筒部とを備え、
流体通路は一端を前記弁体摺動孔内壁に開口し他端を弁体摺動孔外の他壁に開口する連通孔と弁体摺動孔における前記連通孔の内壁に開口する開口部より前側の部分とで形成され、
この流体通路を開閉するソケット側弁体は、先端部外周が前記プラグの先端開口部に摺動自在に嵌合し、且つその先端部がプラグ側弁体の先端部に当接可能なプラグ嵌合部を有する筒状体からなり、前記弁体摺動孔に摺動自在に嵌合し、前進して前記弁体摺動孔に開口する連通孔の開口部を閉じ後退して開くようになっていて、スプリングにより常に前進方向に付勢されており、
そして、前記筒状体からなるソケット側弁体の内部には、その後端が前記ソケット本体筒部に固定され、前記ソケットとプラグの接続時にプラグ側弁体に当接して後退させる弁押杆がソケット側弁体と液密的に且つソケット側弁体が摺動可能に挿通され、
更に、前記ソケット本体筒体と前記操作スリーブとには、軸方向にあけられたガイド孔とガイド孔の後端側から周方向にあけられたロック孔とからなるガイド兼ロック孔が連通して各々形成され、そして前記ソケット側弁体の後端部には前記ガイド兼ロック孔を貫通して弁摺動部材が設けられ、この弁摺動部材をガイド孔に従って後端側へ移動させることにより前記ソケット側弁体が後退し前記弁体摺動孔に開口する開口部を開き、ガイド孔の後端側に移動させた弁摺動部材を更にロック孔に従って移動させることによりソケット側弁体を後退位置に保持するとともに前記操作スリーブの後退を阻止するようになっていることを特徴とする。
【０００６】
かかる構成から、前記操作スリーブを後退させて施錠子を解放し、ソケットのプラグ挿入孔に前記プラグを挿入し、プラグの係合溝が前記施錠子の下方に達すると、施錠子が係合溝に係合し、この状態で前記後退させた操作スリーブを前進させて施錠子を求心方向に押さえることによりソケットとプラグとが接続される。
【０００７】
このソケットとプラグとの接続の過程でプラグ側弁体がソケットの弁押杆とソケット側弁体の先端部に有するプラグ嵌合部の先端面とに当接し、プラグ側弁体がソケットの弁押杆で押されて後退し、このプラグ側弁体の後退に伴いソケット側弁体のプラグ嵌合部がその先端面をプラグ側弁体の先端面に面接触した状態でプラグの先端開口部からプラグ内に挿入し、接続完了状態となる。この接続状態にあって前記ソケット側弁体のプラグ嵌合部がプラグ側弁体に当接した状態でプラグの先端開口部に嵌合しているので、ソケット側弁体とプラグ側弁体との間に隙間の無い状態で接続される。
【０００８】
この接続状態から、前記ソケット側弁体の後端部に設けた弁摺動部材スプリングの付勢力に抗してガイド兼ロック孔のガイド孔に従って後退させると前記ソケット側弁体が後退し弁体摺動孔に開口する連通孔の開口部を開く。これにより、ソケットの流体通路とプラグの流体通路が連通する。
【０００９】
更に、前記ガイド孔に従って後退させた弁摺動部材をロック孔に従って周方向に移動させると、弁摺動部材はソケット本体筒部側のロック孔により前進が阻止され、これにより前記ソケット側弁体の後退状態が保持されるとともに、前記前進位置にある操作スリーブは、操作スリーブ側のロック孔に位置する弁摺動部材によりその後退が阻止され施錠子の押さえ状態が保持される。
【００１０】
上記の状態からソケットとプラグを分離する場合、前記ロック孔に位置している弁摺動部材をガイド孔に従って移動させる。これによりロックを解かれたソケット側弁体はスプリングに付勢されて前進し、弁体摺動孔に開口する連通孔の開口部を閉じることによりソケット側の流体通路を閉じるとともに、その先端に有するプラグ嵌合部が前記プラグの先端開口部に嵌合しその先端部が後退しているプラグ側弁体の先端部に当接する。このプラグの先端開口部への前記プラグ嵌合部の嵌合により、ソケットの流体通路の先端側にあった流体がプラグの流体通路内に押し込まれた状態となる。
【００１１】
かかる状態で、前記弁摺動部材による後退阻止を解かれた操作スリーブを後退させることにより、プラグの係合溝に係合していた施錠子の求心方向への押さえが解かれ、ソケットとプラグとが分離できるが、この分離の過程で、前記プラグの先端開口部に嵌合していたソケット側弁体のプラグ嵌合部がプラグから抜け出し、これに伴い弁押杆による押圧から解かれたプラグ側弁体が前進してプラグの流体通路を閉じるので、ソケットとプラグの分離時に流体が漏れるおそれが無い。
【００１２】
【発明の実施の形態】
図１乃至図１０は本発明に係る管継手の実施の形態の一例を示すもので、図１は本例の管継手の接続前の状態を示す平面図、図２は図１のＡ−Ａ線断面図、図３は本例の管継手の接続後の状態を示す平面図、図４は図３で操作ハンドルを除去した状態を示す平面図、図５は図３のＢ−Ｂ線断面図、図６は図５のＣ−Ｃ線断面図、図７は図３で操作ハンドルで弁摺動部材を後退させ周方向に移動させた状態を示す平面図、図８は図７で操作ハンドルを除去した状態を示す平面図、図９は図７のＤ−Ｄ線断面図、図１０は図９のＥ−Ｅ線断面図である。
【００１３】
同図において、１はソケット、２はプラグである。前記ソケット１にあっては、先端側に前記プラグ２を挿入するプラグ挿入孔３とこれと連通した弁体摺動孔４とを有するソケット本体基部５と、該ソケット本体基部５の後端に連設されているソケット本体筒部６とを備えている。
【００１４】
前記ソケット１の内部にプラグ挿入孔３を形成する先端部には周方向に複数のテーパ貫通孔７が形成されており、このテーパ貫通孔７内には施錠子８が求心遠心方向に出没自在に嵌合している。本例では施錠子８としてロックボールが用いられている。
【００１５】
９はソケット１の外周に摺動自在に嵌合した操作スリーブであり、前進して前記施錠子８を求心方向に押さえ、後退して施錠子８の押さえを解除するようになっている。１０は操作スリーブ９の内周面に形成された施錠子押さえ部、１１は操作スリーブ９を前進方向に付勢するスプリング、１２は前進した操作スリーブ９の施錠子押さえ部１０が施錠子８の上方に位置するように規制するとともに操作スリーブ９の抜け出しを防止するストッパである。
【００１６】
前記弁体摺動孔４は前記プラグ挿入孔３よりも小径に形成されている。この弁体摺動孔４を有するソケット本体基部５には、一端を弁体摺動孔４の内壁に開口し他端をソケット本体基部５の外周面に開口する連通孔１３が形成されており、この連通孔１３と、前記弁体摺動孔４における弁体摺動孔４の内壁に開口する連通孔１３の開口部１４より前の部分とでソケット１の流体通路１５が形成されている。
【００１７】
前記ソケット本体基部５の外周面に開口する開口部１６にはパイプ或いはホース等（図示せず）が接続されるようになっており、前記操作スリーブ９には、前記パイプ或いはホース等が貫通し且つ操作スリーブ９の前進、後退を可能にする長孔１７が形成されている。
【００１８】
１８は前記弁体摺動孔４に摺動自在に嵌合し、前記流体通路１５を開閉する筒状体からなるソケット側弁体であり、前進位置にあるときその外周面で前記弁体摺動孔４の内壁に開口する開口部１４を閉じ後退して開くようになっている。
【００１９】
このソケット側弁体１８は、先端部が小径に形成されその外周が前記プラグ２の先端開口部１９に摺動自在に嵌合し且つその先端面２０がプラグ側弁体２１の先端面２２に面接蝕可能な形状に形成されたプラグ嵌合部２３を有しており、ソケット側弁体１８が前進位置にあるとき、プラグ嵌合部２３が弁体摺動孔４からプラグ挿入孔３に突出した状態にある。
【００２０】
２４はソケット側弁体１８の後端部に設けられたフランジ部であり、前記ソケット本体筒部６内に移動自在に嵌合しており、このフランジ部に設けた後述する弁摺動部材が後述するガイド孔の一端部に当接してソケット側弁体１８の前進位置を規制するようになっている。ただし、これに限定される必要はない。
【００２１】
２５，２６はソケット側弁体１８が前進位置にあるとき前記開口部１４の両側に位置して弁体摺動孔４の内壁とソケット側弁体１８の外周面との間をシールするシールリングである。２７は前記ソケット本体筒部６と前記フランジ部２４との間に介装されソケット側弁体１８を前進方向に付勢しているスプリングである。
【００２２】
２８は前記筒状体からなるソケット側弁体１８の内部に挿通された弁押杆であり、その後端が前記ソケット本体筒部６に固定されて、ソケット１とプラグ２の接続時にその先端が、スプリング２９で前進方向に付勢されて先端開口部１９を塞ぎ、流体通路３０を閉じているプラグ側弁体２１に当接して後退させ、プラグ２側の流体通路３０を開くようになっている。
【００２３】
前記弁押杆２８の先端はソケット側弁体１８の先端より後退した位置で、ソケット１のプラグ挿入孔３にプラグ２を挿入したとき、少なくともソケット側弁体１８の先端面２０よりも先にプラグ１のプラグ側弁体２０に当接しない位置にある。
【００２４】
３１は弁押杆２８の外周面とソケット側弁体１８の内周面との間をシールするシールリングである。
【００２５】
３２，３３は前記ソケット本体筒部６と操作スリーブ９に連通するようにして形成されたガイド兼ロック孔であり、３２はソケット本体筒部６側に形成されたガイド兼ロック孔、３３は操作スリーブ９側に形成されたガイド兼ロック孔である。このガイド兼ロック孔３２，３３は軸方向にあけられたガイド孔３２Ａ，３３Ａとガイド孔３２Ａ，３３Ａの後端側から周方向にあけられたロック孔３２Ｂ，３３Ｂとからなる略Ｌ字形に構成されている。
【００２６】
３４は前記ソケット側弁体１８の後端部に設けられたフランジ部２４に突設したボルト３４Ａとカラー３４Ｂとで構成された弁摺動部材であり、この弁摺動部材３４は前記ガイド兼ロック孔３２，３３を貫通して外部へ突出している。そして、この弁摺動部材３４をガイド孔３２Ａ，３３Ａに従って後退させると前記ソケット側弁体１８が後退し弁体摺動孔４に開口する連通孔１３の開口部１６を開き、ガイド孔３２Ａ，３３Ａの後端側に移動させた弁摺動部材３４をロック孔３２Ｂ，３３Ｂに従って移動させると、弁摺動部材３４がソケット本体筒部６側のロック孔３２Ｂにより前進が阻止され、これによりソケット側弁体１８の後退状態が保持されるとともに、操作スリーブ９側のロック孔３３Ｂに位置する弁摺動部材３４により操作スリーブ９の後退が阻止されるようになっている。
【００２７】
３５は前記弁摺動部材３４を操作する操作ハンドルである。この操作ハンドル３５は、前記操作スリーブ９の外周に軸方向に摺動及び周方向に回転自在に設けた筒部３６と筒部３６の後端に有する取手部３７とで構成されており、筒部３６に前記ガイド兼ロック孔３２，３３から突出している弁摺動部材３４が固定され、取手部３７を握り操作ハンドル３５を操作して前記弁摺動部材３４を移動操作するようになっている。
【００２８】
３８は前記操作ハンドル３５を操作するとき、ソケット１を押さえるためにソケット本体基部５に突設したグリップである。前記操作スリーブ９には、前記のグリップ３８が貫通し且つ操作スリーブ９の前進、後退を可能にする長孔３９が形成されている。４０はソケット１のプラグ挿入口３の内周面と、プラグ挿入口３に挿入したプラグ２の外周面との間をシールするシールリングである。４１はプラグ２の先端外周に形成した係合溝である。
【００２９】
次に、以上のように構成されたソケット１とプラグ２の接続と分離の動作について説明する。
【００３０】
先ず、接続前の状態では、ソケト１は、ソケット側弁体１８がスプリング２７により付勢されて前進位置にあって弁体摺動孔４に開口する連通孔１３の開口部１４を閉じた状態、即ち流体通路１５を閉じた状態にあり、ソケット側弁体１８の後端部に設けられたフランジ部２４に突設した弁摺動部材３４はソケット本体筒部６と操作スリーブ９に連通するようにして形成されたガイド兼ロック孔３２，３３のガイド孔３２Ａ，３３Ａの前端部側に位置しており、また操作スリーブ９はスプリング１１により付勢されて前進位置にあり、施錠子８を求心方向に押さえた状態にある。一方、プラグ２にあっては、プラグ側弁体２１がスプリング２９により付勢されて前進し、プラグ２の先端開口部１９を塞ぎ流体通路３０を閉じた状態にある（図２）。
【００３１】
かかる状態から、前記操作スリーブ９を後退させて施錠子８を解放する。このときの操作スリーブ９の後退は、操作スリーブ９に形成された長孔１７，３９及びガイド兼ロック孔３３により、前記ソケット本体基部５の外周面に開口する開口部１６に接続されたパイプ或いはホース等（図示せず）やグリップ３９や弁摺動部材３４に妨げられることなく行える。
【００３２】
このようにして、施錠子８を解放したら、ソケット１のプラグ挿入孔３に前記プラグ２を挿入する。プラグ２の係合溝４１が前記施錠子８の位置したところで後退させていた前記操作スリーブ９を解放すると、スプリング１１の付勢で前進し施錠子８を求心方向に押さえることにより施錠子８が係合溝４１に係合し、ソケット１とプラグ２とが接続される。
【００３３】
このソケット１とプラグ２との接続の過程でプラグ側弁体２１がソケット１の弁押杆２８とソケット側弁体１８の先端部に有するプラグ嵌合部２３の先端面２０とに当接し、プラグ側弁体２１がソケット１の弁押杆２８で押されて後退するが、前記弁押杆２８の先端はソケット側弁体１８の先端より後退した位置で、ソケット１のプラグ挿入孔３にプラグ２を挿入したとき、少なくともソケット側弁体１８の先端面２０よりも先にプラグ１のプラグ側弁体２０に当接しない位置にあるので、ソケット側弁体１８のプラグ嵌合部２３の先端面２０がプラグ側弁体２１の先端面２２に確実に面接触し、前記プラグ側弁体２１の後退に伴いソケット側弁体１８のプラグ嵌合部２３がその先端面２０をプラグ側弁体２１の先端面２２に面接触した状態でプラグ１の先端開口部１９からプラグ２内に嵌合し、接続完了状態となる。この接続状態にあって前記ソケット側弁体１８のプラグ嵌合部２３がプラグ側弁体２１に面接触した状態でプラグ２の先端開口部１９に嵌合しているので、ソケット側弁体１８とプラグ側弁体２１との間に隙間の無い状態で接続される（図５）。
【００３４】
この接続状態から、前記操作ハンドル３５を操作してソケット側弁体１８の後端部に設けたフランジ部２４に突設した弁摺動部材３４をガイド兼ロック孔３２，３３のガイド孔３２Ａ，３３Ａに従って後退させると、前記ソケット側弁体１８がスプリング２７の弾発力に抗して後退し弁体摺動孔４に開口する連通孔１３の開口部１４を開く。これにより、ソケット１の流体通路１５とプラグ２の流体通路３０が連通する（図１０）。このとき、前記ソケット側弁体１８とプラグ側弁体２１との間に隙間が無いので連通したソケット１及びプラグ２の流体通路１５，３０を流れる流体への空気の混入は僅かである。
【００３５】
更に、前記ガイド孔３２Ａ，３３Ａに従って後退させた弁摺動部材３４をロック孔３２Ｂ，３３Ｂに従って周方向に移動させると、弁摺動部材３４はソケット本体筒部６側のロック孔３２Ｂにより前進が阻止され、これにより前記ソケット側弁体１８の後退状態が保持されるとともに、前記前進位置にある操作スリーブ９は、操作スリーブ９側のロック孔３３Ｂに位置する弁摺動部材３４によりその後退が阻止され施錠子８の押さえ状態が保持される（図７、図８、図９）。
【００３６】
上記の状態からソケット１とプラグ２を分離する場合、前記ロック孔３２Ｂ，３３Ｂに位置している弁摺動部材３４をガイド孔３２Ａ，３３Ａに従って移動させる。これによりロックを解かれたソケット側弁体１８はスプリング２７により付勢されて前進し、弁体摺動孔４に開口する連通孔１３の開口部１４を閉じることによりソケット１側の流体通路１５を閉じるとともに、その先端に有するプラグ嵌合部２３が前記プラグ２の先端開口部１９に嵌合しその先端面２０が後退しているプラグ側弁体２１の先端面２２に面接触する（図５）。このプラグ２の先端開口部１９への前記プラグ嵌合部２３の嵌合により、ソケット１の流体通路１５の先端側にあった流体がプラグ２の流体通路３０内に押し込まれた状態となる。
【００３７】
かかる状態で、前記弁摺動部材３４による後退阻止を解かれた操作スリーブ９を後退させることにより、プラグ２の係合溝４１に係合していた施錠子８の求心方向への押さえが解かれ、ソケット１とプラグ２とが分離できるが、この分離の過程で、前記プラグ２の先端開口部１９に嵌合していたソケット側弁体１８のプラグ嵌合部２３がプラグ２から抜け出し、これに伴い弁押杆２８による押圧から解かれたプラグ側弁体２１が前記プラグ嵌合部２３と連動しながら前進してプラグ２の流体通路３０を閉じるので、ソケット１とプラグ２の分離時に流体が漏れるおそれが無い。
【００３８】
【発明の効果】
以上のように、本発明にかかる管継手によれば、不用意なソケットとプラグの分離を防止することができるとともに、ソケットとプラグの分離時における流体の漏れを防止することができる。
【図面の簡単な説明】
【図１】本発明に係る管継手における実施の形態の一例を示した接続前の状態を示す平面図である。
【図２】図１のＡ−Ａ線断面図である。
【図３】本例の管継手の接続後の状態を示す平面図である。
【図４】図３で操作ハンドルを除去した状態を示す平面図である。
【図５】図３のＢ−Ｂ線断面図である。
【図６】図５のＣ−Ｃ線断面図である。
【図７】図３で操作ハンドルを後退してから周方向に回転した状態を示す平面図である。
【図８】図７で操作ハンドルを除去した状態を示す平面図である。
【図９】図７のＤ−Ｄ線断面図である。
【図１０】図９のＥ−Ｅ線断面図である。
【図１１】従来の管継手の縦断面図である。
【符号の説明】
１  ソケット
２  プラグ
３  プラグ挿入口
４  弁体摺動孔
５  ソケット本体基部
６  ソケット本体筒部
７  テーパ貫通孔
８  施錠子
９  操作スリーブ
１０  施錠子押さえ部
１１  スプリング
１２  ストッパ
１３  連通孔
１４  開口部
１５  流体通路
１６  開口部
１７  長孔
１８  ソケット側弁体
１９  先端開口部
２０  先端面
２１  プラグ側弁体
２２  先端面
２３  プラグ嵌合部
２４  フランジ部
２５  シールリング
２６  シールリング
２７  スプリング
２８  弁押杆
２９  スプリング
３０  流体通路
３１  シールリング
３２  ガイド兼ロック孔
３２Ａ  ガイド孔
３２Ｂ  ロック孔
３３  ガイド兼ロック孔
３３Ａ  ガイド孔
３３Ｂ  ロック孔
３４  弁摺動部材
３４Ａ  ボルト
３４Ｂ  カラー
３５  操作ハンドル
３６  筒部
３７  取手部
３８  グリップ
３９  長孔
４０  シールリング
４１  係合溝
【図１】
0004369564.tif 000002
【図２】
0004369564.tif 000003
【図３】
0004369564.tif 000004
【図４】
0004369564.tif 000005
【図５】
0004369564.tif 000006
【図６】
0004369564.tif 000007
【図７】
0004369564.tif 000008
【図８】
0004369564.tif 000009
【図９】
0004369564.tif 000010
【図１０】
0004369564.tif 000011
【図１１】
0004369564.tif 000012